Podtech/llm-jp-corpus-v4-ja_patent huggingface dataset:
(57)【要約】      （修正有）【課題】正座が出来ない人でも安定して座ることができる薄型折り畳み座椅子を提供する。【解決手段】台座１と、台座の裏面に丁番２によって内側に折りたたみ可能な一対の足と、前記一対の足の中間に外側に折りたたみ可能な一対の足と、足を伸ばした状態で一対の足の間に挿入する保立６と、台座に備えたラツチ７を保立ラツチ穴８に挿入して固定し、一対の足を台座に折りたたんだ状態で、台座に備えたダボを保立のダボ穴１０に挿入し一対の足を台座に保立で固定することを特徴とする。【選択図】図１
0003150742.tif 000002
【実用新案登録請求の範囲】
【請求項１】
台座はベニヤ  合成ゴム  を合わせ薄く１ｃｍ７ｍｍにしたので腿と臑の裏に負担が掛からない、台座は丁番で組立た両足の間に倒れないよう保立を添付その保立をラツチで止め  足が立ち、椅子に座る事が出来ます。保立を抜くと両足が畳まり保立を台座の所のダボに取り付ける事により５ｃｍと薄く持ち歩く事の出来る  薄型折り畳み座椅子
【考案の詳細な説明】
【技術分野】
【０００１】本考案は座敷で正座の出来ない人の為の椅子である
【背景技術】
【０００２】集会やお寺にて足が痛く  お座りの出来ない人が多く何とかしたいと思いました
【考案の開示】
【考案が解決しようとする課題】
【０００３】従来の座椅子は小さい台座に厚いゴムの台座なので座る案定せず横に転びやすい
【課題を解決するための手段】
【０００４】本考案は  ベニヤと合成ゴム等で出来ている台座である  この台座を薄くする事が出来た事により問題が解決しました
【考案の効果】
【０００５】
0003150742.tif 000003
床に付く所を大きく  床が傷つかないようにした  足は倒れないよう足と足を保立で固定して動かないようにした
【考案を実施するための最良の形態】
【０００６】椅子本体は集会や寺などで使いますが台座が薄いのでお座りしても腿と臑の裏が痛くありません、持ち歩く時は保立をはづすと足が畳まり其の足を台座のダボで止める事により薄く全部で５ｃｍになります
【実施例】
【０００７】以下添付図面に従って実施例を説明する  １  の台座はベニヤと合成ゴムを合わせ１ｃｍ７ｍｍと薄く腿と臑の裏に不担がなく案心して座る事が出来ます【０００８】２の丁番は  １  の台座と  ３  の足を接続丁番であり  ４  の丁番は  ３  の足と  ５  の足を接続する丁番であり  これで足を折る事が出来ます  其の内側に巾９ｍｍ×深さ３ｍｍの溝を縦に付け  ６  の保立を足の溝にそって添い付け  ７  のラツチを保立の  ８  のラツチ穴に入れて動かないようにして使用します【０００９】本考案の実施例は上述の如き構成からなるが持ち歩く時は  ６  の保立に付いている  ８  のラツチ穴から  ７  のラツチを抜き  ６  の保立を  １  の台座から抜くと両足が畳まります  １  の台座に畳んだ足の外側に保立の１０  のダボ穴を  ７  に押し付ける事により薄く  ５ｃｍ厚みになる  薄型折り畳み座椅子
【図面の簡単な説明】
【００１０】
【図１】本考案の薄型折り畳み座椅子の実施例を示す正面図である
【図２】座椅子の畳んだ所の一部切断面図である
【図３】座椅子の畳んだ所の下から見た一部切断面図である
【符号の説明】
【００１１】１      台座
２      丁番
３      上足
４      丁番
５      下足
６      保立
７      ラツチ
８      ラツチ穴
９      ダボ
１０    ダボ穴
【図１】
0003150742.tif 000004
【図２】
0003150742.tif 000005
【図３】
0003150742.tif 000006
【手続補正書】
【提出日】平成21年3月6日(2009.3.6)
【手続補正１】
【補正対象書類名】実用新案登録請求の範囲
【補正対象項目名】全文
【補正方法】変更
【補正の内容】
【実用新案登録請求の範囲】
【請求項１】
ベニヤ、合成ゴムを合わせ１．７ｃｍとした台座と、前記台座の裏面に丁番によつて内側に折りたたみ可態な一対の足を、前記一対の足の中間にも外側に折りたたみ可態な一対の足と、前記一対の足を伸ばした状態で一対の足の間に挿入する保立と、前記台座に備えたラツチを保立ラツチ穴に挿入して固定し  前記一対の足を台座に折りたたんだ状態で、前記台座に備えたダボを保立のダボ穴に挿入し一対の足を台座に保立で固定する事を特徴とする薄型折り畳み座椅子
(57)【要約】      （修正有）【課題】浴槽や洗濯機等の雑水を蒸留して使用する為に蒸留した水を器内に貯留して利用する蒸留貯留器を提供する。【解決手段】従来の残り水の使用方法を見直し、浴槽や洗濯機等からの直接排水使用を一旦雑水等流入口６を通し雑水貯留部３をフィルターで通し、蒸留貯留部４で蒸留貯留しフィルターを通し、蒸留水使用貯留部５に貯留して浄水器２を利用し再度の洗濯機等での使用や、他の物でも利用出来る様に環境にも配慮したものである。【選択図】図１
0003150744.tif 000002
【実用新案登録請求の範囲】
【請求項１】
浴槽や洗濯機で使用した雑水を再利用する為に考案した雑水再利用蒸留貯留器で、フィルターや浄水器を利用して雑水を蒸留し再度、洗濯機等にも使用出来る様にし、水資源を再利用する為に環境にも配慮したリサイクル水再利用器として使用する雑水再利用蒸留貯留器。
【考案の詳細な説明】
【技術分野】
【０００１】  本考案は、浴槽や洗濯機等の雑水を蒸留して使用する為に蒸留した水を器内に貯留して利用する。
【背景技術】
【０００２】  従来の技術としては浴槽等からの雑水の洗濯機等への再利用のみの単一仕様だけの物であった。
【考案が解決しようとする課題】
【０００３】  従来は浴槽等からの単一的な雑水を使用する物であったが、今回の改良は浴槽等からの利用のみならず洗濯機等の雑水も再使用するものとし、両方の雑水を再使用して通常の水の使用を最小限に留めて水のリサイクルにも努め環境にも配慮し、器内に蒸留した水を一旦貯留して再利用する様に問題を解決した物である。
【課題を解決するための手段】
【０００４】  従来の浴槽から洗濯機等への直接雑水使用となる単一的な方法を改良し、器内に雑水を入れた際にフィルター等を使用し雑水を蒸留して水道水に近ずける様に改良し、将来的には災害等でも雑排水を蒸留して使用出来るように配慮し問題点を解決したものである。
【考案を実施するための最良の形態】
【０００５】  従来の浴槽から洗濯機等への直接雑水となる問題点を、直接的使用ではなく器内に一旦貯留し蒸留して使用する様に解決したものである。
【実施例】
【０００６】  以下、添付図１に従って実施例を説明する。▲１▼▲２▼浄水器を使用し浴槽や洗濯機等からの雑水を▲６▼流入口より▲３▼雑水貯留部に注入し、▲８▼フィルター等を使用し▲４▼蒸留貯留部を通し▲５▼蒸留水使用貯留部に貯留し▲２▼浄水器を使用し▲７▼使用水流出口を通し洗濯機等に蒸留水を再利用する物である。
【考案の効果】
【０００７】  上述の様に、本考案の求める雑水再利用蒸留貯留器は浄水器及びフィルターを使用し雑水を水道水に近づける様に解決したものである。
【図面の簡単な説明】
【０００８】
【図１】  本考案の実施例を示す全体図である。
【図２】  本考案の縦断面図である。
【図３】  本考案の縦断面図である。
【図４】  本考案の上部横断面図である。
【図５】  本考案の下部横断面図である。
【符号の説明】
【０００９】▲１▼▲２▼  浄水器
▲３▼        雑水貯留部
▲４▼        蒸留貯留部
▲５▼        蒸留水使用貯留部
▲６▼        雑水等流入口
▲７▼        使用水流出口
▲８▼        フィルター
【図１】
0003150744.tif 000003
【図２】
0003150744.tif 000004
【図３】
0003150744.tif 000005
【図４】
0003150744.tif 000006
【図５】
0003150744.tif 000007
【手続補正書】
【提出日】平成21年2月24日(2009.2.24)
【手続補正１】
【補正対象書類名】実用新案登録請求の範囲
【補正対象項目名】全文
【補正方法】変更
【補正の内容】
【実用新案登録請求の範囲】
【請求項１】
浴槽や洗濯機等で使用した雑水を再利用する為に考案した雑水再利用蒸留貯留器で、一個体の器を雑水流入口から雑水貯留部、蒸留貯留部、蒸留水使用貯留部、使用流出口までを組合せた器にし浴槽や洗濯機等から出た雑水を一次濾過する為の雑水貯留部に雑水等流入口より浄水器付簡易汲み上げポンプ（以下、浄水器）を利用して濾過用フィルターを取り付けた雑水貯留部に雑水を貯めてフィルターで濾過し、蒸留貯留部で二次濾過する為に再度、濾過フィルターで蒸留水使用貯留部に通し、再利用出来る様に濾過した雑水を蒸留水使用貯留部に貯めて浄水器を利用し洗濯機等にも利用出来る様に水資源を再利用する、環境にも配慮した水資源再利用器としても使用出来る雑水再利用蒸留貯留器。
(57)【要約】      （修正有）【課題】一度捕獲したエビを、逃げにくくするエビ玉を提供する。【解決手段】返し付き網を付ける事で、一度掬ったエビは、返し網に逃げ場を遮られるため、急いで玉を引き上げる必要がないので、網が破れにくく、２〜３匹続けて掬う事が出来、捕獲率も断然良くなる。長さ５〜７センチメートル程度の円形の網を、エビ玉の内側の針金に取り付ける、返し網の先端は玉の径より、やや小さくする。【選択図】図１
0003150743.tif 000002
【実用新案登録請求の範囲】
【請求項１】
長さ５〜７センチメートル程度の円筒形の網を、エビ玉の針金に取り付ける、網の先端は針金に取り付ける部分の径よりやや小さな径にする、一度捕獲したエビが逃げられないようにした、返し付きエビ玉。
【考案の詳細な説明】
【技術分野】
【０００１】  本考案は、従来のエビ玉の内側に、長さ５〜７センチメートル程度の網を取り付け、一度捕獲したエビを逃げにくくする。
【背景技術】
【０００２】  従来のエビ玉では、一度捕獲したエビが、網の中を回転しながら、隙間から逃げる事が多く確保率が低い。。
【考案が解決しようとする課題】
【０００３】  従来のエビ玉では、エビを捕獲した際に、エビ玉と岩との隙間から逃げる事が多く、急いですくい上げる事から、網に衝撃がかかり破れやすく、不経済。
【課題を解決するための手段】
【０００４】  一度捕獲したエビを、逃げにくくするために、返し網を取り付ける。
【考案の効果】
【０００５】  返し網を、従来のエビ玉の内側に取り付ける事で、捕獲したエビが逃げにくくなるため、急いですくい上げる事もなく、網が破れにくく長持ちをすると共に、捕獲率が良くなる。
【考案を実施するための最良の形態】
【０００６】  長さ５〜７センチメートル程度の円形の網を、エビ玉の内側の針金に取り付ける、返し網の先端は玉の径より、やや小さくする。
【図面の簡単な説明】
【０００７】
【図１】本考案の、返し付きエビ玉の図面である。
【符号の説明】
【０００８】  Ａ，返し網
Ｂ，返し網を、中に入れた状態。
Ｃ，返し網を、外に出した状態。
１，返し網
２，すくい網
３，針金
４，柄
【図１】
0003150743.tif 000003
【手続補正書】
【提出日】平成21年1月14日(2009.1.14)
【手続補正１】
【補正対象書類名】実用新案登録請求の範囲
【補正対象項目名】全文
【補正方法】変更
【補正の内容】
【実用新案登録請求の範囲】
【請求項１】
長さ５〜７センチメートル程度の網を、エビ玉の針金に取り付ける部分はエビ玉の針金と同じ直径とし、片方は針金の直径より１〜２センチメートル程度小さくした円錐台形に作り、直径のおおき方をエビ玉の針金に取り付ける、一度捕獲したエビが逃げられないようにした、返し付きエビ玉。
【手続補正書】
【提出日】平成21年3月5日(2009.3.5)
【手続補正１】
【補正対象書類名】実用新案登録請求の範囲
【補正対象項目名】全文
【補正方法】変更
【補正の内容】
【実用新案登録請求の範囲】
【請求項１】
長さ５〜７センチメートル程度の網を、エビ玉の針金に取り付ける部分はエビ玉の針金と同じ直径とし、片方は針金の直径より１〜２センチメートル程度小さくした円錐台形に作り、直径のおおきい方をエビ玉の針金に取り付ける、一度捕獲したエビが逃げられないようにした、返し付きエビ玉。
(57)【要約】      （修正有）【課題】地震時に空気圧により浮揚した免震基礎上盤を、重心の変動などで傾かない様に水平を補正する水平補正装置を提供する。【解決手段】免震基礎上盤２に複数のスリーブ穴３を設け、その中にピストン４を設置し、免震基礎上盤２の浮揚時の傾きを、空気圧又はスプリングなどの反発力によりピストン４を所定の位置まで押し下げ、免震基礎上盤２の重心の不釣り合いによる傾きを修正し水平に浮揚させる。【選択図】図３
0003150746.tif 000002
【実用新案登録請求の範囲】
【請求項１】
空気浮揚式免震装置の浮揚時、免震基礎上盤（２）に作られた複数のスリーブ穴（３）に設置されたピストン（４）を空気圧又はスプリングなどの反発力で所定の位置まで押し出し、免震基礎上盤（２）を所定の高さ位置まで押し上げる、以上のごとく構成された免震基礎上盤（２）の水平浮揚補正装置。
【考案の詳細な説明】
【技術分野】
【０００１】  この考案は、建物の空気浮揚式免震基礎の浮揚時、浮揚した免震基礎上盤の傾を修正し水平に浮揚させる装置に関する。
【背景技術】
【０００２】  空気圧により基礎を浮揚させる免震装置は、重心の移動や編心により免震基礎上盤が水平に浮揚しない事も有る。
【考案の開示】
【考案が解決しようとする課題】
【０００３】  この考案は、地震時空気圧により浮揚した免震基礎上盤を、重心の変動などで傾かない様、水平を補正するものである。
【課題を解決するための手段】
【０００４】  この課題を解決する為、この考案は図３の様に免震基礎上盤（２）に複数のスリーブ穴（３）を設け、その内部にピストン（４）を設置し、地震時図２の様に浮揚した免震基礎上磐（２）の傾を、図３の様に空気圧の注入又は、スプリングなどの反発力によりピストン（４）を所定の位置まで押し下げ、免震基礎上盤（２）を水平に浮揚させる。
【考案の効果】
【０００５】  本考案は以上の様な構造で、図２の様に地震時空気圧で浮揚した免震基礎上盤（２）の傾を、図３の様に水平維持装置（３、４、５）に空気圧を注入又はスプリングなどの反発力によりピストン（４）を所定の位置まで押し出す事で、免震基礎上盤（２）の傾を直し水平を維持する事が容易になる。
【考案を実施するための最良の形態】
【０００６】  以下、本考案を実施する為の最良の形態について説明する。
空気浮揚式免震装置の免震基礎上盤（２）に複数のスリーブ穴（３）を設け、その内部にピストン（４）を設置し、地震時空気圧により浮揚した免震基礎上盤（２）が傾きにより沈み下がった位置にある水平維持装置（３、４、５）に空気圧が注入され、ピストン（４）を所定の位置まで押し出す事により免震基礎上盤（２）の傾を修正し、水平を維持する。
【図面の簡単な説明】
【０００７】
【図１】  平常時、空気浮揚式免震装置が基礎底盤（１）と免震基礎上盤（２）が密着している断面図である。
【図２】  地震時、空気浮揚式免震装置に空気が吹き込まれ、免震基礎上盤（２）が基礎底盤（１）より傾きながら浮揚している断面図である。
【図３】  空気浮揚式免震装置が作動し空気が吹き込まれ浮揚時、本考案の水平補正装置に空気圧が注入され、ピストン（４）の押しだし効果により、傾が修正され基礎底盤（１）より免震基礎上盤（２）が水平に浮揚している断面図である。
【符号の説明】
【０００８】  １  基礎底盤
２  免震基礎上盤
３  スリーブ穴
４  ピストン
５  スリーブ蓋
６  空気シール板
【図１】
0003150746.tif 000003
【図２】
0003150746.tif 000004
【図３】
0003150746.tif 000005
【手続補正書】
【提出日】平成21年3月6日(2009.3.6)
【手続補正１】
【補正対象書類名】実用新案登録請求の範囲
【補正対象項目名】全文
【補正方法】変更
【補正の内容】
【実用新案登録請求の範囲】
【請求項１】
免震基礎上盤（２）と、免震基礎上盤に作られたスリーブ穴（３）と、スリーブ穴に設置されたピストン（４）からなっており、空気圧やスプリングなどの圧力によりピストン（４）を押し出す事により、空気で浮揚して不安定な免震基礎上盤（２）を水平に補正する、以上のごとく構成された免震基礎上盤の水平浮揚補正装置。
(57)【要約】      （修正有）【課題】どのような車両にも簡単に取り付けることができ、構造が簡単で安価なエンジン緊急停止装置を提供する。【解決手段】本エンジン緊急停止装置においては、車両用点火回路において、常時閉スイッチ４を直列に配置し、緊急時にスイッチ４を作動させることにより点火回路を遮断できるようにしたことを特徴とする。このスイッチ４は押しボタンスイッチであることが望ましく、また車両の運転席と助手席の間に設けるとより好適である。【選択図】図１
0003150741.tif 000002
【実用新案登録請求の範囲】
【請求項１】
車両用点火回路において、常時閉スイッチを直列に配置し、緊急時にスイッチを作動させることにより点火回路を遮断できるようにしたことを特徴とするエンジン緊急静止装置。
【請求項２】
前記スイッチが押しボタンスイッチであることを特徴とする請求項１記載のエンジン緊急静止装置。
【請求項３】
前記スイッチを車両の運転席と助手席の間に設けたことを特徴とする請求項１または２記載のエンジン緊急静止装置。
【考案の詳細な説明】
【図１】
0003150741.tif 000003
【手続補正書】
【提出日】平成21年2月27日(2009.2.27)
【手続補正１】
【補正対象書類名】明細書
【補正対象項目名】全文
【補正方法】変更
【補正の内容】
【考案の詳細な説明】
【技術分野】
【０００１】  本考案は、乗用車等のエンジン駆動車両の緊急停止装置に関する。
【背景技術】
【０００２】  現在日本においては人口の高齢化が進んでおり、高齢者の比率が増している。高齢になると反射神経が鈍くなったり判断力が衰えるため、できれば自動車を運転しないことが望ましいが、公共交通機関が発達していない地方においては自動車が生活の必需品であり、自動車なしには暮らしが成り立たない。従って、高齢になっても食料品等身近な物品を購入するために、ある程度自動車を運転せざるを得ない状況にある。一方では、高齢者の自動車運転事故が増加しているという現実もある。【０００３】  このような高齢者の自動車運転事故を防止する方法としては、従来から種々提案されている。例えば特許文献１（特開平５−１７０００５）においては、電子制御式オートマチックトランスミッションの制御方法において、車速とアクセル位置とアクセル踏み込み速度と運転者が操作するスイッチの状態を検出し、ライン圧を制御することを特徴とする急発進防止制御装置が提案されている。しかし、この技術においては状態を検出するための種々のセンサ、その信号を制御するためのコンピュータ及びプログラムが必要となるため、装置自体が高価となってしまうほか、車両を購入した後で簡単に後付けする事は困難である。【０００４】
【特許文献１】特開平５−１７０００５号公報
【考案の開示】
【考案が解決しようとする課題】
【０００５】  上述の問題点に鑑み本考案では、どのような車両にも簡単に取り付けることができ、構造が簡単で安価なエンジン緊急停止装置を提供することを課題とする。
【課題を解決するための手段】
【０００６】  上記の問題点を解決するため本考案によるエンジン緊急停止装置においては、車両用点火回路において、常時閉スイッチを直列に配置し、緊急時にスイッチを作動させることにより点火回路を遮断できるようにしたことを特徴とする。このスイッチは押しボタンスイッチであることが望ましく、また車両の運転席と助手席の間に設けるとより好適である。
【考案の効果】
【０００７】  本考案によるエンジン緊急停止装置では、スイッチ、特に押しボタンスイッチをエンジン点火回路に直列に接続することにより、このスイッチを押すことによりエンジンの点火回路を遮断でき、結果としてエンジンを停止することができる。押しボタンスイッチを採用すると操作が容易であり、高齢者や身体障害者でも簡単に操作することが可能となる。また、スイッチを運転席と助手席の間に配置することにより、助手席に人が乗っている場合にはその人が操作することもできるため、運転者に急病などが発生した場合でも安全性を一段と高めることができる。
【考案を実施するための最良の形態】
【実施例】
【０００８】  図１に本考案によるエンジン緊急停止装置実施例の説明回路図を示す。イグニッションスイッチ１は一方ではバッテリー２に接続されており、端子の１つはエンジン制御回路に接続されていてエンジン点火を制御している。本考案においては、イグニッションスイッチ１とエンジン制御回路との間に常時閉タイプの押しボタンスイッチ４を配置したものである。このスイッチ４は、一度押すことにより回路を遮断し、もう一度押すことによって復帰するタイプであることが望ましい。【０００９】  上記実施例の場合、通常はスイッチ４が閉状態であるため、エンジンを始動してからはエンジン制御回路により正常に点火プラグが制御されてエンジンが回転する。緊急事態が発生した場合にスイッチ４を押すと、バッテリーとエンジン制御回路との間の配線が遮断されるため、エンジン制御回路の電源が断たれて点火プラグが点火されなくなるため、エンジンが停止する。本考案では、積極的に車両を停止させるのではなく、エンジンの電気回路を遮断することによりエンジンを停止させ、結果的に車両の急発進を防止するものである。【００１０】  車両が安全に停止した後、押しボタンスイッチ４を再度押すことにより回路は復帰するので、その後は通常通りに車両を運転することが可能である。【００１２】  押しボタンスイッチ４を設ける位置については特に限定されるものではないが、少なくとも運転者の手の届く範囲であることが望ましく、助手席の同乗者での手が届く運転席と助手席の間に設けることがより好適である。【００１３】  上記実施例においては、スイッチ４はイグニッションスイッチ１とエンジン制御回路との間に配置したが、これに限定されるものではなく、バッテリーからエンジン制御回路までの配線ならどの位置に設けても良い。
【産業上の利用可能性】
【００１４】  本考案によるエンジン緊急停止装置では、スイッチ、特に押しボタンスイッチをエンジン点火回路に直列に接続することにより、このスイッチを押すことによりエンジンの点火回路を遮断でき、結果としてエンジンを停止することができる。押しボタンスイッチを採用すると操作が容易であり、高齢者や身体障害者でも簡単に操作することが可能となる。また、スイッチを運転席と助手席の間に配置することにより、助手席に人が乗っている場合にはその人が操作することもできるため、運転者に急病などが発生した場合でも安全性を一段と高めることができる。このように、構造が簡単でどのような車両にも容易に取り付けることのできるエンジン緊急停止装置を安価に提供できるため、自動車事故防止に大いに役立つものである。
【図面の簡単な説明】
【００１５】
【図１】本考案によるエンジン緊急停止装置の実施例回路図を示す説明図である。
【符号の説明】
【００１６】１    イグニッションスイッチ
２    バッテリー
３    スタータ
４    押しボタンスイッチ
(57)【要約】      （修正有）【課題】ペットボトルに入った飲料を購入して頂いた方に、感謝の気持ちを表すペットボトルを提供する。【解決手段】ペットボトル１の商品ラベル３の上の空白の部分を利用して感謝の意味を表す「ありがとう」の文字２を直接印刷、またはペットボトル自体に凹凸を付けて表記する。購入した方が穏やかでやさしい気持ちになって頂けることにより、所定の場所以外への放置・投げ捨てといったいわゆる「ポイ捨て」を抑制し、環境美化、リサイクルの向上に貢献できる。【選択図】図１
0003150749.tif 000002
【実用新案登録請求の範囲】
【請求項１】
ペットボトルに、感謝の意味を表す「ありがとう」の文字を直接印刷、またはペットボトル自体に凹凸にて表記したことを特徴とるすペットボトル。
【考案の詳細な説明】
【技術分野】
【０００１】この考案は、飲料用に使用されているペットボトルに関する。
【背景技術】
【０００２】ペットボトルにて販売されている飲料は、各商品の名称等が印刷されたラベルが付いているだけで、購入して頂いた感謝を表す表現が欠落しているものであった。
【考案の開示】
【考案が解決しようとする課題】
【０００３】上記した従来のペットボトルは、購入して頂いた方に感謝の気持ちを表されていることがなかった。
この考案は、上記問題点に着目してなされたものであって、単なる儀礼的なものではなく、購入して頂いた方への感謝の気持ちを表し、購入した方が穏やかでやさしい気持ちになって頂けるペットボトルを提供することを目的としている。
【課題を解決するための手段】
【０００４】ペットボトルに、感謝の意味を表す「ありがとう」の文字を直接印刷、またはペットボトル自体に凹凸にて表記する。
【考案の効果】
【０００５】購入した方が穏やかでやさしい気持ちになって頂けることにより、所定の場所以外への放置・投げ捨てといったいわゆる「ポイ捨て」を抑制し、環境美化、リサイクルの向上に貢献できる。
【図面の簡単な説明】
【０００６】
【図１】ペットボトルを横からみた図
【符号の説明】
【０００７】（１）  ペットボトル
（２）  「ありがとう」の文字
（３）  商品ラベル
【図１】
0003150749.tif 000003
【手続補正書】
【提出日】平成21年2月14日(2009.2.14)
【手続補正１】
【補正対象書類名】実用新案登録請求の範囲
【補正対象項目名】全文
【補正方法】変更
【補正の内容】
【実用新案登録請求の範囲】
【請求項１】
ペットボトルに、感謝の意味を表す「ありがとう」の文字を直接印刷、またはペットボトル自体に凹凸にて表記したことを特徴とするペットボトル。
(57)【要約】      （修正有）【課題】保管スペースを節約し、取出し、収納が容易な小動物用カラーを提供する。【解決手段】小動物用カラー本体の２箇所に孔を開けることを特徴とする。【選択図】図１
0003150767.tif 000002
【実用新案登録請求の範囲】
【請求項１】
小動物が傷口を舐めたり噛んだりしないようにするための小動物用カラー本体に孔を開け、保管を容易にすると同時に、その取り出し及びサイズの確認など、緊急時の対応が素早く出来る様にする。
又一方で、小動物が爪を差し込んだりするリスクを避けるなど、利便性の向上とリスク回避の双方の要素を実現するため、その孔を２箇所に絞り込んだ小動物用カラー
【考案の詳細な説明】
【技術分野】
【０００１】  本考案は、小動物用カラーの本体部分の２箇所に孔を開け、その保管等を容易にするための、小動物用カラーに関するものである。
【背景技術】
【０００２】  小動物用カラーの保管は、従来は受け具を使用したり、いわゆる重ね置きというかたちで行なわれていた。
【考案の概要】
【考案が解決しようとする課題】
【０００３】  受け具の使用ならびに重ね置きという保管方法では、かなりの保管スペースが必要となる上、サイズも分かりにくいため、その取り出し、収納に時間がかかり緊急使用時の対応が素早く出来ないでいた。
従って、小動物用カラー本体の２箇所に孔を開け保管することにより、保管方法が柔軟になり、スペースが節約出来る上、サイズも分かりやすく、素早い対応が可能となり、前述の欠点を解決しようとするものである。
【課題を解決するための手段】
【０００４】  本考案は、小動物用カラー本体２箇所に孔を開け、保管を容易にすると同時にその取り出し及びサイズの確認など、緊急時の対応が素早く出来るようにして、問題点を解決している一方で、小動物が爪を差し込んだりするリスクをも回避している。
【考案の効果】
【０００５】  上述の様に、本考案の保管用孔開き小動物用カラーは、保管を容易にしてそのスペースを節約すると同時に、サイズが分かりやすくなり、その取り出し・収納が簡単に出来る為、緊急使用時の素早い対応が可能となる。又一方で、その孔を２箇所に絞り込むことで、小動物が爪を差し込んだりする危険も回避している。
【図面の簡単な説明】
【０００６】
【図１】本考案の保管用孔開き小動物用カラーの一実施例を示す正面図である。
【考案を実施するための形態】
【０００７】  １ａ，１ｂの各孔は保管場所・壁面の状況に応じてそれぞれ選択使用する。
そして保管場所の状況に応じて、フックなどに差込み収納して置くと、サイズもより分かりやすく対応が素早く出来る。また、この孔にクリップなどを通すと鋼線にかけて収納することも出来るし、しかも安価である。
孔径はカラーの大きさにもよるが、直径５〜８ｍｍ程度が強度的に望ましい。
【符号の説明】
【０００８】１ａ，１ｂ保管用孔
【図１】
0003150767.tif 000003
【手続補正書】
【提出日】平成21年3月5日(2009.3.5)
【手続補正１】
【補正対象書類名】実用新案登録請求の範囲
【補正対象項目名】全文
【補正方法】変更
【補正の内容】
【実用新案登録請求の範囲】
【請求項１】
小動物用カラーにおいて、カラー本体に２箇所の孔を開けたことを特徴とする小動物用カラー
(57)【要約】      （修正有）【課題】熟練者でなくても容易に最良の位置及び安定した数値を得ることの出来る寸法測定器を提供する。【解決手段】測定器に圧力バネ６を使用し測定圧の個人差、及びアンビル９の測定部材８の受面を大きくして測定面に対して測定具の傾きを無くして数値の読みもダイヤルゲージ３を取付けて完成。測定部材８をアンビル９と圧力バネ６の一定の押し力で測定子７で挟み込むことにより容易に最良の測定位置及び測定値を得ることが出来る。【選択図】図３
0003150768.tif 000002
【実用新案登録請求の範囲】
【請求項１】
携帯式の寸法測定器であって、Ｃ形フレームに逆Ｔ字形状のアンビルとアンビルの取付け軸に垂直にスライドする測定子とダイヤルゲージとからなり、測定部材の外径寸法が最良値を得るためアンビルの測定部材の受面を大きくし、測定子が圧力バネの一定した押し力により測定部材を挟み込み測定子と連動するダイヤルゲージの数値を読み取る、又換ブッシュは測定物の寸法の大小に対応できることを特徴とする寸法測定器。
【考案の詳細な説明】
【技術分野】
【０００１】
本考案は携帯式の寸法測定器に関し、測定部材の外径寸法を容易に測定出来る寸法測定器に関するものである。
【背景技術】
【０００２】
従来丸材の外径寸法測定、角材の２面幅の寸法測定に外測マイクロメータ等がある。
【特許文献１】特開２００６−１７６６５号公報
【考案の開示】
【考案が解決しようとする課題】
【０００３】
上述した測定具は測定者による測定圧の違い、アンビルの測定部材の受面が小さくて測定器の傾きが生じ易く測定者は熟練した技能が必要である。
【課題を解決するための手段】
【０００４】
上記課題を解決するための手段として逆Ｔ字形状のアンビルの受面を大きくし、アンビルの平面に対し直角方向に最良の位置及び測定値を得るため、測定子を圧力バネの一定の押し力により測定部材を挟み込み未熟者でも容易に最良の位置及び安定した数値を得ることの出来る寸法測定器である。
【考案の効果】
【０００５】
本考案によりシリンダーゲージ感覚で未熟者でも容易に最良の数値を得ることが出来る。
【考案を実施するための最良の形態】
【０００６】
本考案を実施するための最良の形態について図面３を用いて説明する。
測定部材８をアンビル９と圧力バネ６の一定の押し力で測定子で挟み込むことにより容易に最良の測定位置及び測定値を得ることが出来る。
【実施例１】
【０００７】
図１、図２は実施状態を示す。  
【図面の簡単な説明】
【０００８】
【図１】本考案の寸法測定器の全体斜視図である。
【図２】寸法測定器での二面幅の測定使用状態を示す。
【図３】寸法測定器の各部の名所。
【図４】測定子及び測定子取付けガイド要部の拡大図である。
【符号の説明】
【０００９】
1   Ｃ形フレーム
2   測定子取付ガイド
3   ダイヤルゲージ
4   ダイヤルゲージ取付ネジ
5   測定子ガイド取付ネジ
6   圧力バネ
7   測定子
8   測定部材
9   アンビル
1 0  換ブッシュ
1 1  アンビル取付ネジ
【図１】
0003150768.tif 000003
【図２】
0003150768.tif 000004
【図３】
0003150768.tif 000005
【図４】
0003150768.tif 000006
【手続補正書】
【提出日】平成21年3月24日(2009.3.24)
【手続補正１】
【補正対象書類名】実用新案登録請求の範囲
【補正対象項目名】全文
【補正方法】変更
【補正の内容】
【実用新案登録請求の範囲】
【請求項１】
携帯式の寸法測定器であって、Ｃ形フレームに逆Ｔ字形状のアンビルとアンビルの取付け軸に垂直にスライドする測定子とダイヤルゲージとからなり、測定部材の外径寸法が最良値を得るためアンビルの測定部材の受面を大きくし、測定子が圧力バネの一定した押し力により測定部材を挟み込み測定子と連動するダイヤルゲージを備えていることを特徴とする寸法測定器。
(57)【要約】      （修正有）【課題】折り畳めるアーチ状の背もたれを有する折り畳み座椅子を提供する。【手段】椅子の折り畳まれた背もたれが、複数の台形を丁番でつなげる事で、広げた時にアーチになる。【選択図】図１
0003150762.tif 000002
【実用新案登録請求の範囲】
【請求項１】
椅子の折り畳まれた背もたれが、複数の台形が丁番でつながっている事で、広げた時にアーチになる。
【考案の詳細な説明】
【技術分野】
【０００１】  本考案は、座椅子の背もたれがアーチ状に構成され、折り畳めるものである
【背景技術】
【０００２】  従来は分割されたアーチの背もたれはなかった
【考案の開示】
【考案が解決しようとする課題】
【０００３】  折り畳める分割されたアーチ状の背もたれを有する椅子が無かった。本考案は以上の問題点を解決したものである。
【課題を解決するための手段】
【０００４】  複数の台形を丁番でつなげる事で、広げた時にアーチになる。
【考案の効果】
【０００５】  折り畳めるアーチ状背もたれができた。
【図面の簡単な説明】
【０００６】
【図１】  本考案の斜視図
【図２】  本考案の折りたたみ時の斜視図
【図３】  本考案の側面図
【図４】  本考案の折りたたみ時の側面図
【符号の説明】
【０００８】  （１）丁番    （２）背もたれ    （３）座面
【図１】
0003150762.tif 000003
【図２】
0003150762.tif 000004
【図３】
0003150762.tif 000005
【図４】
0003150762.tif 000006
【手続補正書】
【提出日】平成21年3月3日(2009.3.3)
【手続補正１】
【補正対象書類名】実用新案登録請求の範囲
【補正対象項目名】全文
【補正方法】変更
【補正の内容】
【実用新案登録請求の範囲】
【請求項１】
椅子の折り畳まれた背もたれを、複数の台形が丁番でつながっている形状とする事により、広げた時にアーチになることを特徴とする、折り畳み座椅子。
(57)【要約】      （修正有）【課題】面ファスナー式の靴に、着脱できる反射具を提供する。【解決手段】面ファスナーを両面に設けた平面状の取り付け部と、再帰特性を有する平面状の反射材とを、接合部にて平行に結合したことを特徴とする。【選択図】図１
0003150765.tif 000002
【実用新案登録請求の範囲】
【請求項１】
面ファスナーを両面に設けた平面状の取り付け部と、再帰特性を有する平面状の反射材とを、接合部にて水平に結合したことを特徴とする靴用反射具。
【考案の詳細な説明】
【技術分野】
【０００１】  本考案は、夜間、道路を歩く際に交通安全に役立つ反射材を、面ファスナー式の靴に付け、交通安全に役立てる物品に関する。
【背景技術】
【０００２】  従来の靴に関する反射具は、製造する段階で反射材を付ける場合、反射生地を縫製する方法があった。また、購入時点で反射材の無い靴に後から付ける場合、反射生地を糸状にし、靴紐に織り込んだ反射靴紐を使う。反射材製のシールを貼り付ける。反射材料の含まれたスプレー塗料を吹き付ける。などの方法があった。
【考案の概要】
【０００３】
【考案が解決しようとする課題】
【０００４】  これには次のような欠点があった。
（イ）  反射靴紐は、面ファスナー式の靴には使えない。
（ロ）  シール式は、剥がす際に、靴の塗装を剥がし、表面を傷める場合がある。
（ハ）  シール式は、剥がす際に、糊残りなどで表面を汚損させる場合がある。
（ニ）  シール式は、（ロ）（ハ）のため使いまわす事が出来ず、靴の数だけ数量が必要である。
（ホ）  スプレー式は、施工後完全に除去することが困難である。
（ヘ）  シール式、スプレー式は、施工後は、有る無しの選択の自由がない。
（ト）  シール式、スプレー式は、上記理由から加工時に失敗できない心理的重圧がある。
（チ）  シール式、スプレー式は、（ト）の心理的重圧から、使用そのものを控える傾向がある。本考案は、これらの欠点を除くためになされたものである。
【課題を解決するための手段】
【０００５】  面ファスナー（１）を両面に設けた平面状の取り付け部（４）と、再帰特性を有する平面状の反射材（２）とを、接合部（５）にて水平に結合する。
【考案の効果】
【０００６】  本考案の面ファスナー式の靴用反射具は、面ファスナー式の靴のサイズ調節の為の面ファスナーに、取り付け部（４）を噛み合わせる形で挟み込み、固定するため、反射靴紐では使用できなかった面ファスナー式の靴に使用することが出来る。
シール式のように粘着剤を用いないため、表面塗装を剥がすなど傷めたり、糊成分で汚損させることがなく、付け外しが自在である。
そのため、その時に履く靴にだけ付けるなど、複数の靴での使い回しや、暗くなる夜間にだけ付け、明るい時間は付けないなどの有無の自由がある。
付け外しが自在なため、納得するまで位置や角度を調節できるので、失敗を恐れる心配が無く、そのため安心して使用することが出来る。
本考案の面ファスナー式の靴用反射具は、反射材が全く無い、もしくは少量しかない面ファスナー式の靴に、特別な設備や技能なしに、後から反射材を付与し、夜間や曇天時など車両が前照灯を点けて走行している際、車両から歩行者の視認性を向上させ、交通安全に役立てる。
車両の前照灯はハイビームでない場合、平行よりやや下方を照らすため、歩行時は身体の低い位置に設ける事が望ましいため、設置場所として靴は理想的である。
足は歩行時、頭や胴体、腕と比べ稼動範囲が広いため、反射材も大きく動き、例えば帽子につける場合と比べ、車両から早い段階で、かつ遠い位置からの視認性が高まる。
歩行時に支障をきたさない程度に長く設け、側部に張り出すようにすることで、後方から裏面が見えるため、反射材部は両面を反射材にし、後方からの安全性も向上させることが望ましい。
エスカレーターに巻き込まれるなど、事故や重篤な怪我を避けるため、面ファスナー部分の面積を極力小さくすることが望ましい。
安価に製造できるため、児童、幼児向けの交通安全教室などや、街頭配布する交通安全キャンペーンでの配布物としての使用が可能である。
【図面の簡単な説明】
【０００７】
【図１】    本考案の斜視図である。
【図２】    本考案の斜視図Ａ−Ａ’断面図である。
【図３】    使用状態を表す参考図である。
【考案を実施するための形態】
【０００８】（イ）面ファスナー（１）を２枚背中合わせに結合させた平面状の取り付け部（４）を設ける。
（ロ）取り付け部（４）と再帰特性を有する平面状の反射材（２）とを、接合部（５）にて水平に結合したことを特徴とする靴用反射具。
【実施例】
【０００９】  以下、本考案の実施例について説明する。
面ファスナー（１）を２枚背中合わせになるように溶断型等で接着溶断し、取り付け部（４）を作る。これとは別工程で任意の意匠に成型した反射材（２）を、ホック（３）にて結合させる。
ホック（３）等を用いずに、面ファスナーを接着溶断する際に、反射材と一体溶着させることも可能である。
【符号の説明】  １  面ファスナー
２  反射材
３  ホック
４  取り付け部
５  接合部
【図１】
0003150765.tif 000003
【図２】
0003150765.tif 000004
【図３】
0003150765.tif 000005
【手続補正書】
【提出日】平成21年3月4日(2009.3.4)
【手続補正１】
【補正対象書類名】実用新案登録請求の範囲
【補正対象項目名】全文
【補正方法】変更
【補正の内容】
【実用新案登録請求の範囲】
【請求項１】
面ファスナーを両面に設けた平面状の取り付け部と、再帰特性を有する平面状の反射材とを、接合部にて平行に結合したことを特徴とする靴用反射具。
(57)【要約】      （修正有）【課題】ロール体と該ロール体を覆う被覆体からなるヘアカーラーであって、被覆体をカラフルにして多様なデザインを表現できるヘアカーラーを提供する。【解決手段】ロール体と被覆体の間に、文字又は図形の形状を有するシートをロール体にはりつけ、その上から被覆体で被覆してヘアカーラーを構成する。【選択図】図６
0003150766.tif 000002
【実用新案登録請求の範囲】
【請求項１】
ロール体とロール体を覆う被覆体からなるヘアカーラーで、ロール体と被覆体の間にシート状の文字や図形をはさんだヘアカーラー
【考案の詳細な説明】
【技術分野】
【０００１】本考案は頭髪を巻いてカールさせるためのヘアカーラーに関するものである。
【背景技術】
【０００２】従来のヘアカーラーは〔図１〕の単一単色の被覆体で〔図２〕のロール体を被覆して〔図３〕のようにできている。
【考案の開示】
【考案が解決しようとする課題】
【０００３】従来のヘアカーラーは〔図３〕のように単一単色の被覆体でできているので、色の変化に乏しく、デザインもない。
【課題を解決するための手段】
【０００４】〔図４〕の別の色のシートを〔図２〕のロール体にはりつけたのが〔図５〕であり、これを〔図１〕の被覆体で被覆したのが〔図６〕である。
【考案の効果】
【０００５】〔図６〕のように被覆体とロール体の間にはさんだ〔図４〕がヘアカーラーの表面から見ることができる。
【実施例】
【０００６】〔図６〕のようにヘアカーラーの被覆体とロール体の間のシート〔図４〕が表から見え、１つのヘアカーラーに複数の色を実現している。
【産業上の利用可能性】
【０００７】〔図６〕のように従来の単色のヘアカーラーと違って、被覆体をカラフルにすることにより、多様なデザインを表現できる。【０００８】ヘアカーラーに文字、マークをはめ込む事により、宣伝効果、キャラクター商品を作り出すことができる。
【図面の簡単な説明】
【０００９】
【図１】通常のヘアカーラーの被覆体
【図２】通常のヘアカーラーのロール体
【図３】ロール体に被覆体をつけた通常のヘアカーラー
【図４】本考案のシート
【図５】ロール体に本考案のシート〔図４〕をはりつけたもの
【図６】〔図５〕に〔図１〕の被覆体を被覆した本考案の完成図
【図１】
0003150766.tif 000003
【図２】
0003150766.tif 000004
【図３】
0003150766.tif 000005
【図４】
0003150766.tif 000006
【図５】
0003150766.tif 000007
【図６】
0003150766.tif 000008
【手続補正書】
【提出日】平成21年3月4日(2009.3.4)
【手続補正１】
【補正対象書類名】実用新案登録請求の範囲
【補正対象項目名】全文
【補正方法】変更
【補正の内容】
【実用新案登録請求の範囲】
【請求項１】
ロール体とロール体を覆う被覆体からなるヘアカーラーで、ロール体と被覆体の間に文字又は図形の形状を有するシートをはさんだヘアカーラー
(57)【要約】【課題】従来の手まりの使用方法である玩具、美術品及び工芸品としての装飾性の高い機能に使用が限定されていた手まりを、実用的な機能を付加し、我々の生活に直接的に結びつけるにおい手まりを提供する。【解決手段】手まりの芯として使用している籾殻に、香木を細かく砕いたチップを混ぜ入れることを採用し、これらを通気性の薄紙又は和紙で包み込み、前記を手まりの芯として使用する。これらを、木綿糸で固く巻いていき土台まりを作り木綿糸でかがり模様の装飾を施すことを特徴とするにおい手まりである。【選択図】図１
0003150778.tif 000002
【実用新案登録請求の範囲】
【請求項１】
手まりの芯として使用している籾殻に香木を細かく砕いたチップを混ぜ入れ、これらを通気性がある薄紙又は和紙で包み込み手まりの芯として使用し、これらを木綿糸で固く巻くことにより土台まりを作り、該木綿糸で模様をかがっていくことを特徴とするにおい手まり。
【請求項２】
請求項１記載の香木は、白檀と丁字及び桂皮であることを特徴とするにおい手まり。
【考案の詳細な説明】
【技術分野】
【０００１】
この考案は、手まり芯として使用されている籾殻に、香木を細かく砕いたチップを混ぜ入れたものを手まり芯とした、におい手まりに関するものである。
【背景技術】
【０００２】
従来、我が国で手まりとは、飛鳥時代に皇極天皇（６４２〜６４５）の時に中国より、まりが伝えられたといわれている。平安時代になると京都の公家階級を中心に朝議の一つとして行われた他、公家階級の遊戯として流行した。紫式部「源氏物語」、清少納言「枕草子」にも貴族の遊びとしてまりが書かれている。
【０００３】
鎌倉時代には後深草天皇（１２４６〜１２５９）が幼少の頃の記述に「石はじき、貝合わせ、手まりへんつぎ等で日を暮らしたまえば」とあり、女の子が座りながら行う遊びに使用されていたことが伺える。
【０００４】
江戸時代中期に書かれた「擁州府志」には、弾むまりが作られ婦人や女児が屋内外で下について遊ぶようになったことが書かれている。又、同時代には、少女の玩具となり、追羽根と並ぶ女児の正月の遊びとしてまりが流行する。
江戸時代後期には、表面を五彩の糸で巻いたまりが作られ、美術品及び工芸品としての役割を果たす装飾性の高いものが普及した。
明治後期になると多くの手まり歌が作られ、戦後までは、まりは女児に最も人気のある遊びであった。
昭和４０年頃から、テレビの普及や様々な玩具の出現により、まり遊びは次第に行われなくなった。
【０００５】
最近では、まりは玩具としてではなく美術品及び工芸品としての役割を果たす装飾性の高いものとなり床の間飾り等として、使用されていることが知られている。
【先行技術文献】
【特許文献】
【０００６】
【特許文献１】実開平６−５０６７１号公報。
【考案の概要】
【考案が解決しようとする課題】
【０００７】
これは次の様な欠点があった。従来の手まりは、玩具としての機能の他に、床の間飾り等に用いる美術品及び工芸品としての装飾性の高い機能を具有するのに過ぎないものであった。機能が限定されている為、我々の生活に直接的に結びつく事が少なく実用的に使用される事が難しかった。そこで本考案においては、美術品及び工芸品としての装飾性の高い機能に限定されていたまりを、実用的に我々の生活に結びつける為に考えたものである。
【課題を解決するための手段】
【０００８】
この為、手まりの芯として使用している籾殻に、古くから芳香、心身の浄化、防虫、解毒、健胃、強壮及び利尿に効用があるとされてきた香に着目し、香木を細かく砕いたチップを混ぜ入れることを採用し、これらを通気性がある薄紙又は和紙で包み込み、前記を手まりの芯として使用する。これらを、木綿糸で固く巻いていき土台まりを作り木綿糸で模様をかがっていくことを特徴とするにおい手まりである。
また、前記手まり芯部分に籾殻と白檀、丁字、桂皮等香木を細かく砕いたチップを用いることを特徴とするにおい手まりである。
【考案の効果】
【０００９】
本考案は、手まり芯として使用している籾殻に、防虫及び芳香効果のある香木を細かく砕いたチップを混ぜ入れることによって、玩具、美術品及び工芸品として一般的な機能の他に居室、箪笥、クローゼット及び納戸等に置くことにより装飾品としての機能と防虫及び芳香剤としての機能も備え合わせ、視覚及び嗅覚からも私たちの生活に結び付き、実用的な機能を付加した構成からなる。従って、個々の使用用途や好みにより、香木の種類を調合することによって、玩具、美術品及び工芸品として機能が限定されていた手まりを実用的に使用する事が出来、更に雅趣に富む生活空間が得られるものである。
又、専用の芳香剤を設置しなくても良い香りを楽しむ事が出来る上、衣類への移り香も楽しめ防虫効果も発揮し、携行用に使用することができる。
【図面の簡単な説明】
【００１０】
【図１】本考案におけるにおい手まりの断面図である。
【図２】本考案におけるにおい手まりの実施例である。
【考案を実施するための最良の形態】
【００１１】
以下、本考案の実施をするための最良の形態を示した図１を参照しながら説明する。
【実施例】
【００１２】
通気性がある薄紙又は和紙（３）の上に籾殻（２）を敷き詰める。籾殻（２）に白檀、丁字、桂皮等を細かく砕いたチップ（１）を混ぜ入れ、通気性のある薄紙又は和紙（３）で包みこむ。通気性のある薄紙又は和紙で包みこんだ状態の（１）〜（３）に木綿糸（４）を固く巻きつけ、木綿糸が緩まない様にしっかりと巻き付けて球状に形を整える。これを土台まりという。土台まりを下地にして木綿糸でかがり模様の装飾を施す。
本考案は、以上のような構造でこれを使用する時は、図２の形態の様に玩具、木綿糸でかがり模様を施した装飾部分（５）より美術品及び工芸品として装飾性が高い一般的な機能の他に手まり芯として使用している籾殻（２）に防虫及び芳香効果のある白檀、丁字、桂皮等を細かく砕いたチップ（１）を混ぜ入れ手まり芯にすることで、ほのかな香りが通気性のある薄紙又は和紙（３）を通り、固く巻いた木綿糸に移り（４）ほのかな香りが楽しめる他、居室、箪笥、クローゼット及び納戸等に置くことにより装飾品としての機能と芳香及び防虫としての機能も備えており、衣類への移り香も楽しめ防虫効果も発揮し、携行用に使用することもできる。本実施例では、白檀、丁字、桂皮等の場合のみ述べたが、他の種類の香木を使用してもよい。
【符号の説明】
【００１３】
１香木を細かく砕いたチップ
２籾殻
３通気性がある薄紙又は和紙
４固くまいた木綿糸
５木綿糸でかがり模様を施した装飾部分
【図１】
0003150778.tif 000003
【図２】
0003150778.tif 000004
【手続補正書】
【提出日】平成21年3月19日(2009.3.19)
【手続補正１】
【補正対象書類名】実用新案登録請求の範囲
【補正対象項目名】請求項２
【補正方法】変更
【補正の内容】
【請求項２】
前記香木は、白檀と丁字及び桂皮であることを特徴とする請求項1に記載のにおい手まり。